(57)【要約】  発光ダイオード、つまりＬＥＤのフィラメントランプ１００は、発光ダイオード光源１１０であって、第１の色温度を有する光を放出するように構成された少なくとも１つの第１のフィラメント１２０ａと、第１の色温度とは異なる第２の色温度を有する光を放出するように構成された少なくとも１つの第２のフィラメント１２０ｂと、を含み、第１のフィラメント及び第２のフィラメントの各々が、細長い形状の基材１３０ａ、１３０ｂを含み、少なくとも１つの発光ダイオード１４０ａ、１４０ｂが基材上に配置されている、発光ダイオード光源１１０を備える。ＬＥＤフィラメントランプは、少なくとも１つの所定の設定に従って、所定の設定に応じてＬＥＤフィラメントランプから放出される光の全色温度を制御するために、第１のフィラメントから放出される光の第１の強度を制御し、第２のフィラメントから放出される光の第２の強度を制御するように構成された制御ユニット１５０を更に備える。
2021515418.tif 000002
【特許請求の範囲】
【請求項１】
発光ダイオード、つまりＬＥＤのフィラメントランプであって、
少なくとも１つの発光ダイオード光源であって、
第１の色温度ＣＴ１を有する光を放出するように構成された少なくとも１つの第１のフィラメントと、
前記第１の色温度とは異なる第２の色温度ＣＴ２を有する光を放出するように構成された少なくとも１つの第２のフィラメントと、を含み、
前記少なくとも１つの第１のフィラメント及び前記少なくとも１つの第２のフィラメントの各々が、細長い形状の基材を含み、少なくとも１つの発光ダイオードが前記基材上に配置されている、少なくとも１つの発光ダイオード光源と、
少なくとも１つの所定の設定に従って、前記少なくとも１つの所定の設定に応じて前記ＬＥＤフィラメントランプから放出される前記光の全色温度ＣＴｔｏｔを制御するために、前記少なくとも１つの第１のフィラメントから放出される前記光の第１の強度Ｌ１を制御し、前記少なくとも１つの第２のフィラメントから放出される前記光の第２の強度Ｌ２を制御するように構成された制御ユニットと、を備え、
前記制御ユニットが、前記第１の強度Ｌ１を所定の閾値に増大させ、その後、前記少なくとも１つの第２のフィラメントのスイッチを入れ、前記第２の強度Ｌ２を増大させるように構成されているか、又は前記制御ユニットが、前記少なくとも１つの第２のフィラメントから放出される前記光の前記第２の強度Ｌ２を減少させ、前記少なくとも１つの第１のフィラメントから放出される光の前記第１の強度Ｌ１が前記所定の閾値以上となる時に、前記少なくとも１つの第２のフィラメントのスイッチを切るように構成されている、ＬＥＤフィラメントランプ。
【請求項２】
前記制御ユニットが、
前記少なくとも１つの第１のフィラメントから放出される前記光の前記第１の強度Ｌ１に応じて前記少なくとも１つの第２のフィラメントのスイッチングを制御するように構成されている、請求項１に記載のＬＥＤフィラメントランプ。
【請求項３】
前記制御ユニットが、
前記少なくとも１つの第１のフィラメントから放出される前記光の前記第１の強度Ｌ１を、第１の低レベルＬ１０、第１の中レベルＬ１１、及び第１の高レベルＬ１２のうちの任意のものの間で制御し、ここで、Ｌ１０＜Ｌ１１＜Ｌ１２であり、
前記少なくとも１つの第２のフィラメントから放出される前記光の前記第２の強度Ｌ２を、第２の低レベルＬ２０、第２の中レベルＬ２１、及び第２の高レベルＬ２２のうちの任意のものの間で制御し、ここで、Ｌ２０＜Ｌ２１＜Ｌ２２である、ように構成されている、請求項１又は２に記載のＬＥＤフィラメントランプ。
【請求項４】
前記制御ユニットが、
前記少なくとも１つの第１のフィラメントから放出される前記光の前記第１の強度Ｌ１を前記第１の低レベルＬ１０から前記第１の高レベルＬ１２へ増大させ、その後、
同時に、前記少なくとも１つの第２のフィラメントから放出される前記光の前記第２の強度Ｌ２を前記第２の低レベルＬ２０から前記第２の高レベルＬ２２へ増大させ、前記少なくとも１つの第１のフィラメントから放出される前記光の前記第１の強度Ｌ１を前記第１の高レベルＬ１２から前記第１の低レベルＬ１０へ減少させるように構成されている、請求項３に記載のＬＥＤフィラメントランプ。
【請求項５】
前記制御ユニットが、
同時に、前記少なくとも１つの第２のフィラメントから放出される前記光の前記第２の強度Ｌ２を前記第２の高レベルＬ２２から前記第２の低レベルＬ２０へ減少させ、前記少なくとも１つの第１のフィラメントから放出される前記光の前記第１の強度Ｌ１を前記第１の低レベルＬ１０から前記第１の高レベルＬ１２へ増大させ、その後、
前記少なくとも１つの第１のフィラメントから放出される前記光の前記第１の強度Ｌ１を前記第１の高レベルＬ１２から前記第１の低レベルＬ１０へ減少させるように構成されている、請求項３又は４に記載のＬＥＤフィラメントランプ。
【請求項６】
前記制御ユニットが、
前記少なくとも１つの第１のフィラメントから放出される前記光の前記第１の強度Ｌ１を前記第１の低レベルＬ１０から前記第１の中レベルＬ１１へ増大させ、その後、
同時に、前記少なくとも１つの第１のフィラメントから放出される前記光の前記第１の強度Ｌ１を前記第１の中レベルＬ１１から前記第１の高レベルＬ１２へ増大させ、前記少なくとも１つの第２のフィラメントから放出される前記光の前記第２の強度Ｌ２を前記第２の低レベルＬ２０から前記第２の高レベルＬ２２へ増大させるように更に構成されている、請求項３に記載のＬＥＤフィラメントランプ。
【請求項７】
前記制御ユニットが、
同時に、前記少なくとも１つの第１のフィラメントから放出される前記光の前記第１の強度Ｌ１を前記第１の高レベルＬ１２から前記第１の中レベルＬ１１へ減少させ、前記少なくとも１つの第２のフィラメントから放出される前記光の前記第２の強度Ｌ２を前記第２の高レベルＬ２２から前記第２の低レベルＬ２０へ減少させ、その後、
前記少なくとも１つの第１のフィラメントから放出される前記光の前記第１の強度Ｌ１を前記第１の中レベルＬ１１から前記第１の低レベルＬ１０へ減少させるように更に構成されている、請求項３又は６に記載のＬＥＤフィラメントランプ。
【請求項８】
前記制御ユニットが、
前記少なくとも１つの第１のフィラメントから放出される前記光の前記第１の強度Ｌ１を前記第１の低レベルＬ１０から前記第１の中レベルＬ１１〜前記第１の高レベルＬ１２の範囲内のレベルへ増大させ、その後、
前記少なくとも１つの第２のフィラメントから放出される前記光の前記第２の強度Ｌ２を前記第２の低レベルＬ２０から前記第２の中レベルＬ２１〜前記第２の高レベルＬ２２の範囲内のレベルへ増大させるように更に構成されている、請求項３に記載のＬＥＤフィラメントランプ。
【請求項９】
前記制御ユニットが、
前記少なくとも１つの第２のフィラメントから放出される前記光の前記第２の強度Ｌ２を前記第２の中レベルＬ２１〜前記第２の高レベルＬ２２の範囲内のレベルから前記第２の低レベルＬ２０へ減少させ、その後、
前記少なくとも１つの第１のフィラメントから放出される前記光の前記第１の強度Ｌ１を前記第１の中レベルＬ１１〜前記第１の高レベルＬ１２の範囲内のレベルから前記第１の低レベルＬ１０へ減少させるように更に構成されている、請求項３又は８に記載のＬＥＤフィラメントランプ。
【請求項１０】
前記制御ユニットが、
前記少なくとも１つの第１のフィラメントから放出される前記光の前記第１の強度Ｌ１を前記第１の低レベルＬ１０から前記第１の中レベルＬ１１〜前記第１の高レベルＬ１２の範囲内のレベルへ増大させ、その後、
同時に、前記少なくとも１つの第１のフィラメントから放出される前記光の前記第１の強度Ｌ１を前記第１の中レベルＬ１１〜前記第１の高レベルＬ１２の前記範囲内の前記レベルに維持し、前記少なくとも１つの第２のフィラメントから放出される前記光の前記第２の強度Ｌ２を前記第２の低レベルＬ２０から前記第２の中レベルＬ２１へ増大させ、その後、
同時に、前記少なくとも１つの第１のフィラメントから放出される前記光の前記第１の強度Ｌ１を前記第１の中レベルＬ１１〜前記第１の高レベルＬ１２の前記範囲内の前記レベルから前記第１の低レベルＬ１０へ減少させ、前記少なくとも１つの第２のフィラメントから放出される前記光の前記第２の強度Ｌ２を前記第２の中レベルＬ２１から前記第２の中レベルＬ２１〜前記第２の高レベルＬ２２の範囲内のレベルへ増大させるように更に構成されている、請求項３に記載のＬＥＤフィラメントランプ。
【請求項１１】
前記制御ユニットが、
同時に、前記少なくとも１つの第１のフィラメントから放出される前記光の前記第１の強度Ｌ１を前記第１の低レベルＬ１０から前記第１の中レベルＬ１１〜前記第１の高レベルＬ１２の範囲内のレベルへ増大させ、前記少なくとも１つの第２のフィラメントから放出される前記光の前記第２の強度Ｌ２を前記第２の中レベルＬ２１〜前記第２の高レベルＬ２２の範囲内のレベルから前記第２の中レベルＬ２１へ減少させ、その後、
同時に、前記少なくとも１つの第１のフィラメントから放出される前記光の前記第１の強度Ｌ１を前記第１の中レベルＬ１１〜前記第１の高レベルＬ１２の前記範囲内の前記レベルに維持し、前記少なくとも１つの第２のフィラメントから放出される前記光の前記第２の強度Ｌ２を前記第２の中レベルＬ２１から前記第２の低レベルＬ２０へ減少させ、その後、
前記少なくとも１つの第１のフィラメントから放出される前記光の前記第１の強度Ｌ１を前記第１の中レベルＬ１１〜前記第１の高レベルＬ１２の前記範囲内の前記レベルから前記第１の低レベルＬ１０へ減少させるように更に構成されている、請求項３又は１０に記載のＬＥＤフィラメントランプ。
【請求項１２】
前記少なくとも１つの第１のフィラメントの前記光の前記色温度の前記第１の範囲が２０００Ｋ〜２６００Ｋであり、前記少なくとも１つの第２のフィラメントの前記光の前記色温度の前記第２の範囲が２７００Ｋ〜３５００Ｋである、請求項１乃至１１の何れか一項に記載のＬＥＤフィラメントランプ。
【請求項１３】
前記少なくとも１つの第１のフィラメントのうちの少なくとも１つ及び前記少なくとも１つの第２のフィラメントのうちの少なくとも１つが、前記ＬＥＤフィラメントランプの長手方向軸Ａに沿って延びる、隣接して配置されたフィラメントの少なくとも１つの対として配置されており、前記対の前記フィラメントが、前記長手方向軸と垂直な軸Ｂに沿って平均距離Ｄ１だけ離されている、請求項１乃至１２の何れか一項に記載のＬＥＤフィラメントランプ。
【請求項１４】
前記少なくとも１つの第１のフィラメントの、蛍光体濃度、厚さ、及び前記少なくとも１つの発光ダイオードの種類のうちの少なくとも１つが、前記少なくとも１つの第２のフィラメントの、蛍光体濃度、厚さ、及び前記少なくとも１つの発光ダイオードの種類のうちの対応するものとは異なる、請求項１乃至１３の何れか一項に記載のＬＥＤフィラメントランプ。
【発明の詳細な説明】
【技術分野】
【０００１】
本発明は、概して、１つ以上の発光ダイオードを備える照明装置に関する。より詳細には、照明装置は、発光ダイオード（light emitting diode、ＬＥＤ）フィラメントランプからの光の強度及び色温度を制御するための制御ユニットを備えるＬＥＤフィラメントランプに関連する。
【背景技術】
【０００２】
照明目的での、発光ダイオード（ＬＥＤ）の使用は、注目を集め続けている。白熱灯、蛍光灯、ネオン管灯等と比べて、ＬＥＤは、より長い動作寿命、低減された電力消費、及び光エネルギーと熱エネルギーとの比に関する増大された効率などの、数多くの利点をもたらす。
【０００３】
ＬＥＤの使用の有利な諸態様のゆえに、多くの照明装置において従来の光源をＬＥＤと置き換えるための関心が急速に高まった。レトロフィッティングとも呼ばれるこの置き換えは、白熱電球の外見を有することを望むユーザによって評価され、所望されることが理解される。光源の置き換え（レトロフィッティング）は、多くの場合、従来の光源を照明装置の照明器具（例えば、ランプホルダ）から取り外し、ＬＥＤ、ＬＥＤ装置、又はＬＥＤデバイスを照明器具内に取り付けることによって遂行される。これらのコンセプトのうちの１つは、電球内に配置されるＬＥＤフィラメントに基づく。これは、この種のランプの外観が当該装飾性の高さのために評価されているからである。
【０００４】
しかし、現在のＬＥＤフィラメントランプは色が制御可能でないことに留意されたい。異なる色温度を放出するＬＥＤフィラメントが用いられ得るが、異なる色温度を放出するＬＥＤフィラメントが見えることは、通常、評価又は所望されない。
【０００５】
それゆえ、照明装置が動作中に所望の審美的特性を依然として有しつつ、色を制御可能な照明装置が提供され得るよう、代替的なソリューションに関心がもたれている。
【０００６】
米国特許第９４２０６４４号は、合計電流が、位相制御された調光供給の所定の最小保持電流要求を維持するよう、分流電流をＬＥＤ電流に動的に加える分流ドライバモジュールに関する装置及び関連する方法を開示している。
【発明の概要】
【発明が解決しようとする課題】
【０００７】
本発明の目的は、上述の問題のうちの少なくともいくつかを緩和し、照明装置が依然として所望の審美的特性を有しつつ、動作中に照明装置から放出される光の色温度の制御を提供することができる照明装置を提供することである。
【課題を解決するための手段】
【０００８】
この目的及び他の目的は、独立請求項における特徴を有する発光ダイオードフィラメントランプを提供することによって達成される。従属請求項において、好ましい実施形態が定義される。
【０００９】
それゆえ、本発明によれば、発光ダイオード（ＬＥＤ）フィラメントランプが提供される。ＬＥＤフィラメントランプは、少なくとも１つの発光ダイオード光源であって、第１の色温度を有する光を放出するように構成された少なくとも１つの第１のフィラメントと、第１の色温度とは異なる第２の色温度を有する光を放出するように構成された少なくとも１つの第２のフィラメントとを含む、少なくとも１つの発光ダイオード光源を備える。少なくとも１つの第１のフィラメント及び少なくとも１つの第２のフィラメントの各々は、細長い形状の基材を含み、少なくとも１つの発光ダイオードは基材上に配置されている。ＬＥＤフィラメントランプは、少なくとも１つの所定の設定に従って、少なくとも１つの所定の設定に応じてＬＥＤフィラメントランプから放出される光の全色温度を制御するために、少なくとも１つの第１のフィラメントから放出される光の第１の強度を制御し、少なくとも１つの第２のフィラメントから放出される光の第２の強度を制御するように構成された制御ユニットを更に備える。
【００１０】
それゆえ、本発明は、制御ユニットが、１つ以上の所定の設定に従ってＬＥＤフィラメントランプのＬＥＤ光源の第１のフィラメント及び第２のフィラメントから放出される光のそれぞれの強度を制御するように構成されている、ＬＥＤフィラメントランプを提供するという思想に基づく。これによって、制御ユニットは、ＬＥＤフィラメントランプから放出される光の全色温度を効率的に簡便に制御し得る。
【００１１】
ＬＥＤフィラメントランプの制御ユニットは、例えば、ＬＥＤフィラメントランプから放出される全光によってグレアが達成される程度まで第１及び第２のフィラメントから放出される光の強度を制御し得る。当該利点は、人が、第１及び第２のフィラメントが異なる色温度の光を放出していることを見分けることが不可能になり得、これが審美的に望ましい効果であることである。
【００１２】
本発明は、ＬＥＤフィラメントランプのフィラメントから放出される光の強度が１つ以上の所定の設定に従って制御され得、ＬＥＤフィラメントランプから放出される光の色を制御する多様な様式をもたらすという点で更に有利である。
【００１３】
本発明の更なる利点は、フィラメントから放出される光の強度を制御するための制御ユニットがＬＥＤフィラメントランプ内に備えられ、色を制御可能な比較的小型のＬＥＤフィラメントランプをもたらすことである。
【００１４】
本発明のＬＥＤフィラメントランプは、更に、比較的少数の構成要素を備えることが理解される。構成要素の数が少ないことは、ＬＥＤフィラメントランプの製作が比較的安価であるという点で有利である。更に、ＬＥＤフィラメントランプの構成要素の数が少ないことは、特に、容易な分解及び／又は再利用の動作を妨げる比較的多数の構成要素を備えるデバイス又は装置と比べて、より容易な再利用を意味する。
【００１５】
ＬＥＤフィラメントランプは少なくとも１つのＬＥＤ光源を備える。ＬＥＤ光源は、これに関しては、第１の色温度を有する光を放出するように構成された少なくとも１つの第１のフィラメントと、第２の色温度を有する光を放出するように構成された少なくとも１つの第２のフィラメントとを含み、第２の色温度は第１の色温度とは異なる。それゆえ、第１の色温度は、第２の色温度の第２の範囲と別個であるか、又は部分的に重なり合う第１の範囲内で定義され得る。
【００１６】
少なくとも１つの第１のフィラメント及び少なくとも１つの第２のフィラメントの各々は、細長い形状の基材を含み、少なくとも１つのＬＥＤが基材上に配置されている。それゆえ、１つ以上のＬＥＤは、ＬＥＤを支持するように構成された基材上に配置されている、取り付けられている、及び／又は機械的に結合されている。
【００１７】
ＬＥＤフィラメントランプは制御ユニットを更に備える。「制御ユニット」によって、これにより、第１及び第２のフィラメントからそれぞれ放出される光の第１及び第２の強度を制御するように構成された、デバイス、装置、要素、又は同様のものが意味される。制御ユニットの制御は１つ以上の所定の設定に従って遂行される。用語「所定の設定」によって、これにより、あらかじめ設定又は決定された、設定、セットアップ、プログラム、関係、又は同様のものが意味される。制御ユニットは、これにより、この、又はこれらの所定の設定に応じてＬＥＤフィラメントランプから放出される光の全色温度を制御し得る。
【００１８】
本発明の一実施形態によれば、制御ユニットは、少なくとも１つの第１のフィラメントから放出される光の第１の強度に応じて少なくとも１つの第２のフィラメントのスイッチングを制御するように構成され得る。それゆえ、制御ユニットは、少なくとも１つの第１のフィラメントから放出される光の第１の強度に応じて第２のフィラメントのスイッチを入れる、又は切るように構成され得る。例えば、及び本発明の一実施形態によれば、制御ユニットは、少なくとも１つの第１のフィラメントから放出される光の第１の強度を所定の閾値へ増大させ、その後、少なくとも１つの第２のフィラメントのスイッチを入れ、少なくとも１つの第２のフィラメントから放出される光の第２の強度を増大させるように構成され得る。逆の動作もまた実行可能であること、即ち、制御ユニットは、第２のフィラメントから放出される光の第２の強度を減少させ、第１のフィラメントから放出される光の第１の強度が所定の閾値以上となる時に、第２のフィラメントのスイッチを切るように構成され得ることが理解される。本実施形態は、第１のフィラメントから放出される光の第１の強度が所定の閾値に達したための、第２のフィラメントのオフ状態から第２のフィラメントのオン状態への（又はその逆の）移行が、観察者に不可視であり得るという点で有利である。
【００１９】
本発明の一実施形態によれば、制御ユニットは、少なくとも１つの第１のフィラメントから放出される光の第１の強度を、第１の低レベルＬ１０、第１の中レベルＬ１１、及び第１の高レベルＬ１２のうちの任意のものの間で制御し、ここで、Ｌ１０＜Ｌ１１＜Ｌ１２であり、少なくとも１つの第２のフィラメントから放出される光の第２の強度を、第２の低レベルＬ２０、第２の中レベルＬ２１、及び第２の高レベルＬ２２のうちの任意のものの間で制御し、ここで、Ｌ２０＜Ｌ２１＜Ｌ２２であるように構成され得る。用語「低」、「中」、及び「高」は相対的な仕方で解釈され得ること、即ち、（第１又は第２の）低レベルは（第１又は第２の）中レベルよりも低く、当該（第１又は第２の）中レベルは（第１又は第２の）高レベルよりも低いことが理解される。「高レベル」は、固定されたレベルではなく、特定の所定の、又は事前にプログラムされたレベルシーケンスにおいて生じる最も高いレベルを表すことが理解される。
【００２０】
更に、制御ユニットの動作を説明するために、制御ユニットは、所定の設定に従って、第１及び第２のフィラメントから放出される光の第１及び第２の強度を、それぞれ、第１及び第２の低レベル、第１及び第２の中レベル、並びに第１及び第２の高レベルの間で制御するように構成され得る。例えば、制御ユニットは、第１のフィラメントから放出される光の第１の強度を第１の低レベルから第１の中レベルへ（若しくは逆に）、又は第１の低レベルから第１の高レベルへ（若しくは逆に）制御するように構成され得る。放出される光の第１の強度の制御の上述された例は、放出される光の第２の強度の制御にも適用可能であることが理解される。本実施形態は、ＬＥＤフィラメントランプのなおいっそう簡便な制御のために、放出される光の第１及び第２の強度の低、中、及び高レベルが制御ユニットの１つ以上の所定の設定の所定のレベルを構成し得るという点で有利である。
【００２１】
本発明の一実施形態によれば、制御ユニットは、少なくとも１つの第１のフィラメントから放出される光の第１の強度を第１の低レベルから第１の高レベルへ増大させるように構成され得る。その後、制御ユニットは、同時に、少なくとも１つの第２のフィラメントの第２の強度を第２の低レベルから第２の高レベルへ増大させ、少なくとも１つの第１のフィラメントの第１の強度を第１の高レベルから第１の低レベルへ減少させるように構成され得る。それゆえ、この（第１の）所定の設定によれば、制御ユニットは、第２のフィラメントから放出される光の第２の強度が第２の低レベルに維持されている間に、まず、第１のフィラメントから放出される光の第１の強度を第１の低レベルから第１の高レベルへ増大させるように構成され得る。その後、制御ユニットは、同時に、第２のフィラメントから放出される光の第２の強度を第２の低レベルから第２の高レベルへ増大させ、第１のフィラメントから放出される光の第１の強度を第１の高レベルから第１の低レベルへ減少させ得る。結果として、制御ユニットは、この（第１の）所定の設定に応じてＬＥＤフィラメントランプから放出される光の全色温度を制御するように構成されている。第１のフィラメントから放出される光の第１の強度の、低レベルから高レベルへの増大の間に、ＬＥＤフィラメントランプから放出される光の全強度は全強度の低レベルから全強度の高レベルへ増大し、それに対して、ＬＥＤフィラメントランプから放出される光の全色温度は低レベルにおいて実質的に一定のままとどまる。その後、同時的な、第２のフィラメントから放出される光の第２の強度の、第２の低レベルから第２の高レベルへの増大、及び第１のフィラメントから放出される光の第１の強度の、第１の高レベルから第１の低レベルへの減少の結果として、ＬＥＤフィラメントランプから放出される光の全色温度は全色温度の低レベルから高レベルへ増大し、それに対して、ＬＥＤフィラメントランプから放出される光の全強度は全強度の高レベルにおいて実質的に一定のままとどまる。
【００２２】
以前の実施形態の逆の動作を更に構成する、本発明の一実施形態によれば、制御ユニットは、同時に、少なくとも１つの第２のフィラメントから放出される光の第２の強度を第２の高レベルから第２の低レベルへ減少させ、少なくとも１つの第１のフィラメントから放出される光の第１の強度を第１の低レベルから第１の高レベルへ増大させるように構成され得る。制御ユニットは、その後、少なくとも１つの第１のフィラメントから放出される光の第１の強度を第１の高レベルから第１の低レベルへ減少させるように構成され得る。
【００２３】
本発明の一実施形態によれば、制御ユニットは、少なくとも１つの第１のフィラメントから放出される光の第１の強度を第１の低レベルから第１の中レベルへ増大させるように構成され得る。その後、制御ユニットは、同時に、少なくとも１つの第１のフィラメントから放出される光の第１の強度を第１の中レベルから第１の高レベルへ増大させ、少なくとも１つの第２のフィラメントから放出される光の第２の強度を第２の低レベルから第２の高レベルへ増大させるように構成され得る。それゆえ、この（第２の）所定の設定によれば、制御ユニットは、第２のフィラメントの第２の強度が第２の低レベルに維持されている間に、まず、第１のフィラメントから放出される光の第１の強度を第１の低レベルから第１の中レベルへ増大させるように構成され得る。その後、制御ユニットは、同時に、第１のフィラメントから放出される光の第１の強度を第１の中レベルから第１の高レベルへ増大させ、第２のフィラメントから放出される光の第２の強度を第２の低レベルから第２の高レベルへ増大させ得る。結果として、制御ユニットは、この（第２の）所定の設定に応じてＬＥＤフィラメントランプから放出される光の全色温度を制御するように構成されている。第１のフィラメントから放出される光の第１の強度の、低レベルから中レベルへの増大の間に、ＬＥＤフィラメントランプから放出される光の全強度は全強度の低レベルから中レベルへ増大し、それに対して、ＬＥＤフィラメントランプから放出される光の全色温度は低レベルにおいて実質的に一定のままとどまる。その後、それぞれ、第１及び第２のフィラメントから放出される光の第１及び第２の強度の同時の増大の結果、ＬＥＤフィラメントランプから放出される光の全色温度は全色温度の低レベルから高レベルへ増大する。
【００２４】
以前の実施形態の逆の動作を更に構成する、本発明の一実施形態によれば、制御ユニットは、同時に、少なくとも１つの第１のフィラメントから放出される光の第１の強度を第１の高レベルから第１の中レベルへ減少させ、少なくとも１つの第２のフィラメントから放出される光の第２の強度を第２の高レベルから第２の低レベルへ減少させるように更に構成され得る。その後、制御ユニットは、少なくとも１つの第１のフィラメントから放出される光の第１の強度を第１の中レベルから第１の低レベルへ減少させるように構成され得る。
【００２５】
本発明の一実施形態によれば、制御ユニットは、少なくとも１つの第１のフィラメントから放出される光の第１の強度を第１の低レベルから第１の中レベル〜第１の高レベルの範囲内のレベルへ増大させ、その後、少なくとも１つの第２のフィラメントから放出される光の第２の強度を第２の低レベルから第２の中レベル〜第２の高レベルの範囲内のレベルへ増大させるように更に構成され得る。それゆえ、この（第３の）所定の設定によれば、制御ユニットは、第２のフィラメントから放出される光の第２の強度が第２の低レベルに維持されている間に、まず、第１のフィラメントから放出される光の第１の強度を第１の低レベルから第１の中レベル〜第１の高レベルの範囲内のレベルへ増大させるように構成され得る。その後、制御ユニットは、第１のフィラメントから放出される光の第１の強度を第１の中レベル〜第１の高レベルの範囲内のレベルに維持しつつ、第２のフィラメントから放出される光の第２の強度を第２の低レベルから第２の中レベル〜第２の高レベルの範囲内のレベルへ増大させ得る。結果として、制御ユニットは、この（第３の）所定の設定に応じてＬＥＤフィラメントランプから放出される光の全色温度を制御するように構成されている。第１のフィラメントから放出される光の第１の強度の、低レベルから中レベル〜高レベルの範囲内のレベルへの増大の間に、ＬＥＤフィラメントランプから放出される光の全強度は全強度の低レベルから中レベルへ増大し、それに対して、ＬＥＤフィラメントランプから放出される光の全色温度は低レベルにおいて実質的に一定のままとどまる。その後、第２のフィラメントから放出される光の第２の強度の増大の結果、ＬＥＤフィラメントランプから放出される光の全色温度は全色温度の低レベルから、徐々に、ただし、上述されたとおりの第２の設定と比べていくらかより低い速度で増大する。
【００２６】
以前の実施形態の逆の動作を更に構成する、本発明の一実施形態によれば、制御ユニットは、少なくとも１つの第２のフィラメントから放出される光の第２の強度を第２の中レベル〜第２の高レベルの範囲内のレベルから第２の低レベルへ減少させるように更に構成され得る。制御ユニットは、その後、少なくとも１つの第１のフィラメントから放出される光の第１の強度を第１の中レベル〜第１の高レベルの範囲内のレベルから第１の低レベルへ減少させるように更に構成され得る。
【００２７】
本発明の一実施形態によれば、制御ユニットは、少なくとも１つの第１のフィラメントから放出される光の第１の強度を第１の低レベルから第１の中レベル〜第１の高レベルの範囲内のレベルへ増大させるように更に構成され得る。その後、制御ユニットは、同時に、少なくとも１つの第１のフィラメントから放出される光の第１の強度を第１の中レベル〜第１の高レベルの範囲内のレベルに維持し、少なくとも１つの第２のフィラメントから放出される光の第２の強度を第２の低レベルから第２の中レベルへ増大させ得る。その後、制御ユニットは、同時に、少なくとも１つの第１のフィラメントから放出される光の第１の強度を第１の中レベル〜第１の高レベルの範囲内のレベルから第１の低レベルへ減少させ、少なくとも１つの第２のフィラメントから放出される光の第２の強度を第２の中レベルから第２の中レベル〜第２の高レベルの範囲内のレベルへ増大させ得る。その結果、制御ユニットは、この（第４の）所定の設定に応じてＬＥＤフィラメントランプから放出される光の全色温度を制御するように構成されている。第１のフィラメントから放出される光の第１の強度の、第１の低レベルから第１の中レベル〜第１の高レベルの範囲内のレベルへの増大の間に、ＬＥＤフィラメントランプから放出される光の全強度は全強度の低レベルから全強度の中レベルへ増大し、それに対して、ＬＥＤフィラメントランプから放出される光の全色温度は低レベルにおいて実質的に一定のままとどまる。その後、第２のフィラメントから放出される光の第２の強度の、第２の低レベルから第２の中レベルへの増大の結果、ＬＥＤフィラメントランプから放出される光の全色温度は全色温度の低レベルから中レベルへ徐々に増大する。その後、第１のフィラメントから放出される光の第１の強度の、第１の中レベル〜第１の高レベルの範囲内のレベルから第１の低レベルへの減少、及び第２のフィラメントから放出される光の第２の強度の、第２の中レベルから第２の中レベル〜第２の高レベルの範囲内のレベルへの増大に追随して、ＬＥＤフィラメントランプから放出される光の全色温度は急激に増大する。
【００２８】
以前の実施形態の逆の動作を更に構成する、本発明の一実施形態によれば、制御ユニットは、同時に、少なくとも１つの第１のフィラメントから放出される光の第１の強度を第１の低レベルから第１の中レベル〜第１の高レベルの範囲内のレベルへ増大させ、少なくとも１つの第２のフィラメントから放出される光の第２の強度を第２の中レベル〜第２の高レベルの範囲内のレベルから第２の中レベルへ減少させるように更に構成され得る。制御ユニットは、その後、同時に、少なくとも１つの第１のフィラメントから放出される光の第１の強度を第１の中レベル〜第１の高レベルの範囲内のレベルに維持し、少なくとも１つの第２のフィラメントから放出される光の第２の強度を第２の中レベルから第２の低レベルへ減少させるように構成され得る。その後、制御ユニットは、少なくとも１つの第１のフィラメントから放出される光の第１の強度を第１の中レベル〜第１の高レベルの範囲内のレベルから第１の低レベルへ減少させ得る。
【００２９】
本発明の一実施形態によれば、少なくとも１つの第１のフィラメントから放出される光の色温度の第１の範囲は２０００Ｋ〜２６００Ｋであり得、少なくとも１つの第２のフィラメントから放出される光の色温度の第２の範囲は２７００Ｋ〜３５００Ｋであり得る。本実施形態は、ＬＥＤフィラメントランプから放出される光の全色温度が、２０００Ｋ〜２６００Ｋなどの、比較的低レベルから、２７００Ｋ〜３５００Ｋなどの、比較的高レベルへ変更され得るという点で有利である。更に、第１のフィラメントから放出される光と第２のフィラメントから放出される光との間の色温度の差は少なくとも４００Ｋであり、より好ましくは、少なくとも５００Ｋであり、最も好ましくは、少なくとも６００Ｋである。
【００３０】
本発明の一実施形態によれば、制御ユニットは、少なくとも１つの第１のフィラメントから放出される光の光束に応じて少なくとも１つの第２のフィラメントのスイッチングを制御するように構成され得る。例えば、制御ユニットは、少なくとも１つの第１のフィラメントのスイッチを入れ、その後、少なくとも１つの第１のフィラメントから放出される光の光束に応じて少なくとも１つの第２のフィラメントのスイッチを入れるように構成され得る。例えば、制御ユニットは、第１のフィラメントから放出される光が、当該最大光束の３０〜７０％、好ましくは、４０〜６５％、及び最も好ましくは５５〜６０％の光束をもたらす時に、少なくとも１つの第２のフィラメントのスイッチを入れるように構成され得る。類似的に、制御ユニットは、少なくとも１つの第１のフィラメントから放出される光の光束に応じて少なくとも１つの第２のフィラメントのスイッチを切り、その後、少なくとも１つの第１のフィラメントのスイッチを切るように更に構成され得る。
【００３１】
本発明の一実施形態によれば、ＬＥＤフィラメントランプから放出される光の全光束の範囲は、２５０ｌｍ〜４００ｌｍ、好ましくは、２７０ｌｍ〜３７０ｌｍ、及び最も好ましくは２９０〜３５０ｌｍであり得る。光束の上述の範囲は、１つ以上の実施形態によれば、少なくとも１つの第１のフィラメントから放出される光の第１の強度の所定の閾値に対応し得ることが理解される。例えば、制御ユニットは、第１のフィラメントから放出される光の第１の強度（即ち、この場合には、放出される光の全強度）がこの範囲に達した時に、ＬＥＤ光源の第２のフィラメントのスイッチを入れるように構成され得る。
【００３２】
本発明の一実施形態によれば、少なくとも１つの第１のフィラメントのうちの少なくとも１つ及び少なくとも１つの第２のフィラメントのうちの少なくとも１つは、ＬＥＤフィラメントランプの長手方向軸Ａに沿って延びる、隣接して配置されたフィラメントの少なくとも１つの対として配置され得、対のフィラメントは、長手方向軸と垂直な軸Ｂに沿って平均距離Ｄ１だけ離されている。それゆえ、第１のフィラメント及び第２のフィラメントから成るフィラメントの対がＬＥＤフィラメントランプの長手方向軸Ａに沿って延び、対のフィラメントは平均距離Ｄ１だけ離されている。本実施形態は、対の離されたフィラメントが、比較的低い強度、又はＬＥＤフィラメントランプのオフ状態で可視であり得るという点で有利である。
【００３３】
本発明の一実施形態によれば、制御ユニットは、平均距離Ｄ１に応じて、少なくとも１つの第１のフィラメントから放出される光の第１の強度を制御し、少なくとも１つの第２のフィラメントから放出される光の強度を制御するように構成され得る。本実施形態は、制御ユニットが、簡便で効率的な仕方で、ＬＥＤフィラメントランプの動作中にフィラメントの対の第１及び第２のフィラメントの可視性を制御し得るという点で有利である。例えば、フィラメントの対の第１のフィラメントと第２のフィラメントとの間の平均距離が比較的大きい場合には、個々のフィラメントが人によって可視にならないよう、制御ユニットは、ＬＥＤフィラメントランプの動作中に第１及び第２のフィラメントから放出される光の比較的高い全強度を設定するように構成され得る。
【００３４】
本発明の一実施形態によれば、少なくとも１つの第１のフィラメントの、蛍光体濃度、厚さ、及び少なくとも１つの発光ダイオードの種類のうちの少なくとも１つは、少なくとも１つの第２のフィラメントの、蛍光体濃度、厚さ、及び少なくとも１つの発光ダイオードの種類のうちの対応するものとは異なる。それゆえ、第１のフィラメント及び第２のフィラメントは、蛍光体濃度、厚さ、及び／又は及びフィラメントの基材上に配置された発光ダイオードの種類が異なり得る。その結果、第１のフィラメント及び第２のフィラメントは、異なる色温度を有する光を放出するが、依然として、同様の、又は事実上同じ物理的外観を有するように構成され得る。本実施形態は、人が、ＬＥＤフィラメントランプのオフ状態においては、第１のフィラメントと第２のフィラメントとのいかなる相違にも気付くことが不可能となり得、これが審美的に望ましいという点で有利である。
【００３５】
以下の詳細な開示、図面、及び添付の請求項を検討することにより、本発明の更なる目的、特徴、及び利点が明らかとなるであろう。当業者は、以下で説明される実施形態以外の実施形態を作り出すために、本発明の種々の特徴が組み合わせられることができる点を理解するであろう。
【図面の簡単な説明】
【００３６】
次に、本発明のこの態様及び他の態様が、本発明の実施形態を示す添付図面を参照して、より詳細に説明される。
【図１】従来技術に係るレトロフィットランプの例を示す。
【図２ａ】本発明の例示的な諸実施形態に係る発光ダイオード、ＬＥＤ、フィラメントランプを示す。
【図２ｂ】本発明の例示的な諸実施形態に係る発光ダイオード、ＬＥＤ、フィラメントランプを示す。
【図３ａ】本発明の例示的な諸実施形態に係るＬＥＤフィラメントランプのフィラメントの例を示す。
【図３ｂ】本発明の例示的な諸実施形態に係るＬＥＤフィラメントランプのフィラメントの例を示す。
【図４】本発明の例示的な諸実施形態に係るＬＥＤフィラメントランプの制御ユニットの所定の設定の例を示す。
【図５】本発明の例示的な諸実施形態に係るＬＥＤフィラメントランプの制御ユニットの所定の設定の例を示す。
【図６】本発明の例示的な諸実施形態に係るＬＥＤフィラメントランプの制御ユニットの所定の設定の例を示す。
【図７】本発明の例示的な諸実施形態に係るＬＥＤフィラメントランプの制御ユニットの所定の設定の例を示す。
【発明を実施するための形態】
【００３７】
白熱ランプは、ＬＥＤベースの照明ソリューションに急速に置き換えられている。それにもかかわらず、白熱電球の特徴（例えば、外見）を有するレトロフィットランプを有することが評価され、所望されている。この目的のために、白熱電球を製作し、フィラメントを、白色光を放出するＬＥＤと置き換えることが可能である。図１においてランプ１０ａ、１０ｂが例として提示されている、この種のランプの外観は非常に高く評価されている。しかし、現在のＬＥＤフィラメントランプは色を制御可能でないことに留意されたい。異なる色温度を放出するＬＥＤフィラメントが用いられ得るが、異なる色温度を放出するＬＥＤフィラメントが見えることは、通常、評価又は所望されない。それゆえ、照明装置が動作中に所望の審美的特性を依然として有しつつ、色を制御可能な照明装置が提供され得るよう、代替的なソリューションに関心がもたれている。
【００３８】
図２ａは、本発明の例示的な一実施形態に係る発光ダイオード、つまりＬＥＤのフィラメントランプ１００を示す。ＬＥＤフィラメントランプ１００は、ＬＥＤフィラメントランプ１００の長手方向軸Ａに沿って延びる電球形ランプとして例示されている。ＬＥＤフィラメントランプ１００は、好ましくはガラスで作製された、管球容器１０２を更に備える。ＬＥＤフィラメントランプ１００は、管球容器１０２に接続されたねじ式キャップ１０４を更に備える。
【００３９】
ＬＥＤフィラメントランプ１００はＬＥＤ光源１１０を更に備える。ＬＥＤ光源１１０は、これに関しては、長手方向軸Ａに沿って延びる第１のフィラメント１２０ａを含む。第１のフィラメント１２０ａは、複数のＬＥＤ（図示せず）が配置された、細長い形状の基材１３０ａを含む。ＬＥＤフィラメントランプ１００の動作中、第１のフィラメント１２０ａは、第１の強度Ｌ１及び第１の色温度ＣＴ１を有する光を放出するように構成されている。第１の色温度ＣＴ１は、例えば、２０００Ｋ〜２６００Ｋの範囲内にあり得る。
【００４０】
ＬＥＤフィラメントランプ１００のＬＥＤ光源１１０は、第１のフィラメント１２０ａと平行に長手方向軸Ａに沿って延びる第２のフィラメント１２０ｂを更に含む。第２のフィラメント１２０ｂは、複数のＬＥＤ（図示せず）が配置された、細長い形状の基材１３０ｂを含む。第２のフィラメント１２０ｂは、ＬＥＤフィラメントランプ１００の動作中、第２の強度Ｌ２及び第２の色温度ＣＴ２を有する光を放出するように構成されている。第２の色温度ＣＴ２は第１の色温度ＣＴ１とは異なる。第２の色温度ＣＴ２は、例えば、２７００Ｋ〜３５００Ｋの範囲内にあり得る。
【００４１】
動作中に、ＬＥＤフィラメントランプ１００は、全強度Ｌｔｏｔ（即ち、Ｌｔｏｔ＝Ｌ１＋Ｌ２）及び全色温度ＣＴｔｏｔ（即ち、ＣＴｔｏｔは、Ｌ１及びＬ２に依存したＣＴ１及びＣＴ２の関数である）を有する光を放出するように構成されている。
【００４２】
ＬＥＤ光源１１０の第１のフィラメント１２０ａ及び第２のフィラメント１２０ｂは、長手方向軸Ａと垂直な軸Ｂに沿って平均距離Ｄ１だけ分されている。第１のフィラメント１２０ａと第２のフィラメント１２０ｂとの間の平均距離Ｄ１は、２ｍｍ〜２０ｍｍ、好ましくは、３ｍｍ〜１７ｍｍ、及び最も好ましくは４〜１５ｍｍであり得る。これにより、平均距離Ｄ１は、第１のフィラメント１２０ａ及び第２のフィラメント１２０ｂが、ＬＥＤ光源１１０の比較的低い強度又はオフ状態において人によって個々に可視になり得るほど、十分に大きいものであり得る。他方で、平均距離Ｄ１は、同時に、第１のフィラメント１２０ａ及び第２のフィラメント１２０ｂが、ＬＥＤ光源１１０の比較的高い強度の設定においては個々に見分けられないほど、十分に小さいものであり得る。長手方向軸Ａに対するＬＥＤ光源１１０の第１のフィラメント１２０ａと第２のフィラメント１２０ｂとの間の角度は、好ましくは、３０°未満、より好ましくは、２０°未満、なおいっそう好ましくは、例えば、０°などの、１０°未満である。第１のフィラメント１２０ａと第２のフィラメント１２０ｂとの間の相互角度は、０〜６０°、好ましくは、０〜４５°、及びなおいっそう好ましくは１０〜３０°の範囲内であり得る。
【００４３】
ＬＥＤフィラメントランプ１００は制御ユニット１５０を更に備える。図２ａでは、制御ユニット１５０は、第１のフィラメント１２０ａ及び第２のフィラメン１２０ｂとキャップ１０４との間に配置された要素として例示されているが、制御ユニット１５０の配置、サイズ、構造等は、図示されているものとは異なり得ることに留意されたい。制御ユニット１５０は、少なくとも１つの所定の設定に応じて、第１のフィラメント１２０ａから放出される光の第１の強度Ｌ１を制御し、第２のフィラメント１２０ｂから放出される光の第２の強度Ｌ２を制御するように構成されている。その結果、制御ユニット１５０は、少なくとも１つの所定の設定に応じてＬＥＤフィラメントランプ１００から放出される光の全色温度ＣＴｔｏｔを制御し得る。所定の設定に従う制御ユニット１５０の動作の例が図４〜図７に提示されていることに留意されたい。
【００４４】
図２ｂは、図２ａに係るＬＥＤフィラメントランプ１００の上面図、即ち、ＬＥＤフィラメントランプ１００の長手方向軸Ａに沿った上面図を示す。ＬＥＤフィラメントランプ１００のこの例示的な実施形態では、ＬＥＤ光源は第１のフィラメント１２０ａ及び第２のフィラメント１２０ｂの３つの対１４５ａ〜１４５ｃを含む。図２ａの実施形態と類似的に、対１４５ａ〜１４５ｃの各々の第１のフィラメント１２０ａは、第１の強度Ｌ１及び第１の色温度ＣＴ１を有する光を放出するように構成されており、それに対して、対１４５ａ〜１４５ｃの各々の第２のフィラメント１２０ｂは、第２の強度Ｌ２及び第２の色温度ＣＴ２を有する光を放出するように構成されている（簡潔にする理由のために、放出される強度及び色温度は第１のフィラメント１２０ａ及び第２のフィラメント１２０ｂの対１４５ｂに関するもののみが示されている）。
【００４５】
ここでは、対１４５ａ〜１４５ｃは（想像上の）正三角形の辺に沿って配置されている。しかし、全ての実施形態に関して、第１のフィラメント１２０ａ及び第２のフィラメント１２０ｂの対の配置の実質的に任意の構成が想定され得ることに留意されたい。全ての実施形態に関して、ＬＥＤ光源は実質的に任意の数の第１のフィラメント１２０ａ及び第２のフィラメント１２０ｂを含み得るが、少なくとも３つのフィラメント、より好ましくは、少なくとも４つのフィラメント、及びなおいっそう好ましくは少なくとも５つのフィラメントを用いることが好ましい。更に、フィラメントの数は、好ましくは、更に、例えば、６つ、８つ、又は１２個である。ＬＥＤ光源が２つより多いフィラメントを含む場合には、人（眼１５５によって様式的に指示されている）は、フィラメントが異なる色温度の光を放出する様子を見ることが不可能になり得ることに留意されたい。２つの最も外側のＬＥＤフィラメントの間の距離Ｄ２は、好ましくは、５０ｍｍ以下、より好ましくは、４０ｍｍ未満、及び最も好ましくは３５ｍｍ未満であり得る。
【００４６】
一実施形態では、第１及び第２のＬＥＤフィラメントの数は等しくなくてもよい。第１のＬＥＤフィラメント及び第２のフィラメントの数の比は０．５〜２の範囲内であってもよい。例えば、第１のＬＥＤフィラメントの数は第２のＬＥＤフィラメントの数より多くてもよい。
【００４７】
図３ａは、本発明の例示的な一実施形態に係るＬＥＤフィラメントランプ内に備えられるＬＥＤ光源１１０の第１のフィラメント１２０ａ及び第２のフィラメント１２０ｂの一例を示す。第１のフィラメント１２０ａ及び第２のフィラメント１２０ｂは、第１のフィラメント１２０ａの基材１３０ａ上に配置されたＬＥＤ１４０ａが、第２のフィラメント１２０ｂの基材１３０ｂ上に配置されたＬＥＤ１４０ｂとは異なる種類のものであるという点で、互いに異なる。これは、図３ａにおいて、ＬＥＤ１４０ａ、１４０ｂを示す、それぞれの基材１３０ａ、１３０ｂの拡大によって様式的に示されている。その結果、第１のフィラメント１２０ａから放出される光は、ＬＥＤフィラメントランプの動作中に第２のフィラメント１２０ｂから放出される光とは異なっており、それに対して、ＬＥＤフィラメントランプのオフ状態においては、第１のフィラメント１２０ａ及び第２のフィラメント１２０ｂは、同様の、又は事実上同じ物理的外観を有するように見える。
【００４８】
図３ｂは、本発明の例示的な一実施形態に係るＬＥＤフィラメントランプ内に備えられるＬＥＤ光源１１０の第１のフィラメント１２０ａ及び第２のフィラメント１２０ｂの一例を示す。ここでは、第１のフィラメント１２０ａ及び第２のフィラメント１２０ｂは第１のフィラメント１２０ａ及び第２のフィラメント１２０ｂのそれぞれの蛍光体濃度及び／又は厚さが異なる。例えば、第２のフィラメント１２０ｂの蛍光体濃度１３５ｂは第１のフィラメント１２０ａの蛍光体濃度１３５ａよりも大きい。結果として、第１のフィラメント１２０ａ及び第２のフィラメント１２０ｂは、ＬＥＤフィラメントランプのオフ状態においては、同様の、又は事実上同じ物理的外観を有するように見え、それに対して、第１のフィラメント１２０ａから放出される光は、ＬＥＤフィラメントランプの動作中に第２のフィラメント１２０ｂから放出される光とは異なる。
【００４９】
図３ａ〜図３ｂにおいて説明される実施形態に共通することは、ＬＥＤ１４０ａ、１４０ｂが、通例、それぞれの基材１３０ａ、１３０ｂ上のコーティング内に埋め込まれていることである。更に、コーティングは蛍光体を含んでいることがあり、基材１３０ａのコーティングは基材１３０ｂのコーティングと比べて厚さが異なってもよいであろう。
【００５０】
図４〜図７は、本発明の例示的な諸実施形態に係るＬＥＤフィラメントランプの制御ユニットの所定の設定の例を示す。例えば、制御ユニットは、以下の所定の設定のうちの１つ以上によって、ＬＥＤフィラメントランプから放出される光の全色温度を制御するために、ＬＥＤフィラメントランプのＬＥＤ光源の第１及び第２のフィラメントから放出される光の強度を制御し得る。図４〜図７の全ての実施形態に共通することは、制御ユニットが、ＬＥＤ光源の第１のフィラメントから放出される光の第１の強度Ｌ１を、第１の低レベルＬ１０、第１の中レベルＬ１１、及び第１の高レベルＬ１２のうちの任意のものの間で制御し、ここで、Ｌ１０＜Ｌ１１＜Ｌ１２であるように構成され得ることである。類似的に、制御ユニットは、ＬＥＤ光源の第２のフィラメントから放出される光の第２の強度Ｌ２を、第２の低レベルＬ２０、第２の中レベルＬ２１、及び第２の高レベルＬ２２のうちの任意のものの間で制御し、ここで、Ｌ２０＜Ｌ２１＜Ｌ２２であるように構成され得る。第１の低レベルＬ１０及び／又は第２の低レベルＬ２０は、例えば、０であり得ることが理解される。換言すれば、ＬＥＤ光源の第１のフィラメント及び／又は第２のフィラメントはオフにされ得る。
【００５１】
図４〜図７の例示的な諸実施形態は、それぞれ、ＬＥＤフィラメントランプのＬＥＤ光源から放出される光の全強度Ｌｔｏｔの増大による全色温度の増大を記述していることが理解される。しかし、逆の動作、即ち、ＬＥＤフィラメントランプのＬＥＤ光源から放出される光の全強度の減少（即ち、減光）による全色温度の減少が実行可能であることが理解されている。しかし、簡潔にする理由のために、図４〜図７には、増大する全強度の所定の設定のみが示されている。
【００５２】
図４ａは、制御ユニットが、第１のフィラメントから放出される光の第１の強度Ｌ１を第１の低レベルＬ１０から第１の高レベルＬ１２へ、即ち、第１の強度Ｌ１のｙ軸に沿って増大させるように構成されている、所定の設定の一実施形態を示す。その後、制御ユニットは、同時に、少なくとも１つの第２のフィラメントの第２の強度Ｌ２を第２の低レベルＬ２０から第２の高レベルＬ２２へ増大させ、少なくとも１つの第１のフィラメントの第１の強度を第１の高レベルＬ１２から第１の低レベルＬ１０へ減少させるように構成されている。その結果、制御ユニットは、この所定の設定に応じてＬＥＤフィラメントランプから放出される光の全色温度ＣＴｔｏｔを制御するように構成されている。
【００５３】
図４ｂは、ＬＥＤフィラメントランプから放出される光の全強度Ｌｔｏｔ及び全色温度ＣＴｔｏｔに関して、図４ａに係る制御ユニットの動作の効果を示す。第１のフィラメントから放出される光の第１の強度Ｌ１の、低レベルＬ１０から高レベルＬ１２への増大の間に、ＬＥＤフィラメントランプから放出される光の全強度Ｌｔｏｔは全強度Ｌｔｏｔの低レベルから全強度Ｌｔｏｔの高レベルへ増大し、それに対して、ＬＥＤフィラメントランプから放出される光の全色温度ＣＴｔｏｔは低レベルにおいて実質的に一定のままとどまる。その後、同時的な、第２のフィラメントから放出される光の第２の強度Ｌ２の、第２の低レベルＬ２０から第２の高レベルＬ２２への増大、及び第１のフィラメントから放出される光の第１の強度Ｌ１の、第１の高レベルＬ１２から第１の低レベルＬ１０への減少の結果として、ＬＥＤフィラメントランプから放出される光の全色温度ＣＴｔｏｔは低レベルから高レベルへ増大し、それに対して、ＬＥＤフィラメントランプから放出される光の全強度Ｌｔｏｔは高レベルにおいて実質的に一定のままとどまる。それゆえ、全強度Ｌｔｏｔの高レベルにおいて全強度Ｌｔｏｔに応じて全色温度ＣＴｔｏｔが急激に増大する。
【００５４】
図５ａは、制御ユニットが、少なくとも１つの第２のフィラメントから放出される光の第２の強度Ｌ２を低レベルＬ２０に維持しつつ、少なくとも１つの第１のフィラメントから放出される光の第１の強度Ｌ１を第１の低レベルＬ１０から第１の中レベルＬ１１へ増大させるように構成されている、所定の設定の別の実施形態を示す。その後、制御ユニットは、同時に、少なくとも１つの第１のフィラメントから放出される光の第１の強度Ｌ１を第１の中レベルＬ１１から第１の高レベルＬ１２へ増大させ、少なくとも１つの第２のフィラメントから放出される光の第２の強度Ｌ２を第２の低レベルＬ２０から第２の高レベルＬ２２へ増大させるように構成され得る。
【００５５】
図５ｂは、ＬＥＤフィラメントランプから放出される光の全強度Ｌｔｏｔ及び全色温度ＣＴｔｏｔに関して、図５ａに係る制御ユニットの動作の効果を示す。第１のフィラメントから放出される光の第１の強度Ｌ１の、低レベルＬ１０から中レベルＬ１１への増大の間に、ＬＥＤフィラメントランプから放出される光の全強度Ｌｔｏｔは低レベルから中レベルへ増大し、それに対して、ＬＥＤフィラメントランプから放出される光の全色温度ＣＴｔｏｔは低レベルにおいて実質的に一定のままとどまる。その後、それぞれ、第１及び第２のフィラメントから放出される光の第１の強度Ｌ１及び第２の強度Ｌ２の同時の増大の結果、ＬＥＤフィラメントランプから放出される光の全色温度ＣＴｔｏｔは全色温度ＣＴｔｏｔの低レベルから高レベルへ増大する。それゆえ、全強度Ｌｔｏｔの中レベルにおいて全強度Ｌｔｏｔに応じて全色温度ＣＴｔｏｔが徐々に増大する。
【００５６】
図６ａは、制御ユニットが、少なくとも１つの第２のフィラメントから放出される光の第２の強度Ｌ２を低レベルＬ２０に維持しつつ、少なくとも１つの第１のフィラメントから放出される光の第１の強度Ｌ１を第１の低レベルＬ１０から第１の中レベルＬ１１〜第１の高レベルＬ１２の範囲内のレベルへ増大させるように構成されている、所定の設定の更に別の実施形態を示す。その後、制御ユニットは、第１の強度Ｌ１を中レベルＬ１１に維持しつつ、少なくとも１つの第２のフィラメントから放出される光の第２の強度Ｌ２を第２の低レベルＬ２０から第２の中レベルＬ２１〜第２の高レベルＬ２２の範囲内のレベルへ増大させるように構成されている。
【００５７】
図６ｂは、ＬＥＤフィラメントランプから放出される光の全強度Ｌｔｏｔ及び全色温度ＣＴｔｏｔに関して、図６ａに係る制御ユニットの動作の効果を示す。第１のフィラメントから放出される光の第１の強度Ｌ１の、低レベルＬ１０から第１の中レベルＬ１１〜第１の高レベルＬ１２の範囲内のレベルへの増大の間に、ＬＥＤフィラメントランプから放出される光の全強度Ｌｔｏｔは全強度Ｌｔｏｔの低レベルから中レベルへ増大し、それに対して、ＬＥＤフィラメントランプから放出される光の全色温度ＣＴｔｏｔは低レベルにおいて実質的に一定のままとどまる。その後、第２のフィラメントから放出される光の第２の強度Ｌ２の増大の結果、ＬＥＤフィラメントランプから放出される光の全色温度ＣＴｔｏｔは全色温度Ｃｔｏｔの低レベルから、徐々に、図５ａにおいて例示されたとおりの所定の設定と比べていくらかより高い速度で増大する。
【００５８】
図７ａは、制御ユニットが、少なくとも１つの第２のフィラメントから放出される光の第２の強度Ｌ２を低レベルＬ２０に維持しつつ、少なくとも１つの第１のフィラメントから放出される光の第１の強度Ｌ１を第１の低レベルＬ１０から第１の中レベルＬ１１〜第１の高レベルＬ１２の範囲内のレベルへ増大させるように更に構成され得る、所定の設定の更に別の実施形態を示す。その後、制御ユニットは、同時に、少なくとも１つの第１のフィラメントから放出される光の第１の強度Ｌ１を第１の中レベルＬ１１〜第１の高レベルＬ１２の範囲内のレベルに維持し、少なくとも１つの第２のフィラメントから放出される光の第２の強度Ｌ２を第２の低レベルＬ２０から第２の中レベルＬ２１へ増大させ得る。その後、制御ユニットは、同時に、少なくとも１つの第１のフィラメントから放出される光の第１の強度Ｌ１を第１の中レベルＬ１１〜第１の高レベルＬ１２の範囲内のレベルから第１の低レベルＬ１０へ減少させ、少なくとも１つの第２のフィラメントから放出される光の第２の強度Ｌ２を第２の中レベルＬ２１から第２の中レベルＬ２１〜第２の高レベルＬ２２の範囲内のレベルへ増大させ得る。
【００５９】
図７ｂは、ＬＥＤフィラメントランプから放出される光の全強度Ｌｔｏｔ及び全色温度ＣＴｔｏｔに関して、図７ａに係る制御ユニットの動作の効果を示す。第１のフィラメントから放出される光の第１の強度Ｌ１の、第１の低レベルＬ１０から第１の中レベルＬ１１〜第１の高レベルＬ１２の範囲内のレベルへの増大の間に、ＬＥＤフィラメントランプから放出される光の全強度Ｌｔｏｔは全強度Ｌｔｏｔの低レベルから中レベルへ増大し、それに対して、ＬＥＤフィラメントランプから放出される光の全色温度ＣＴｔｏｔは低レベルにおいて実質的に一定のままとどまる。その後、第２のフィラメントから放出される光の第２の強度Ｌ２の、第２の低レベルＬ２０から第２の中レベルへＬ２１の増大の結果、ＬＥＤフィラメントランプから放出される光の全色温度ＣＴｔｏｔは全色温度ＣＴｔｏｔの低レベルから中レベルへ徐々に増大する。その後、第１のフィラメントから放出される光の第１の強度Ｌ１の、第１の中レベルＬ１１〜第１の高レベルＬ１２の範囲内のレベルから第１の低レベルＬ１０への減少、及び第２のフィラメントから放出される光の第２の強度Ｌ２の、第２の中レベルＬ２１から第２の中レベルＬ２１〜第２の高レベルＬ２２の範囲内のレベルへの増大に追随して、ＬＥＤフィラメントランプから放出される光の全色温度ＣＴｔｏｔは急激に増大する。
【００６０】
当業者は、本発明が、上述の好ましい実施形態に決して限定されるものではないことを理解する。むしろ、多くの修正形態及び変形形態が、添付の請求項の範囲内で可能である。例えば、第１のフィラメント１２０ａ及び／又は第２のフィラメント１２０ｂ、制御ユニット１５０、管球容器１０２等のうちの１つ以上は、図示／説明されたものとは異なる形状、寸法、及び／又はサイズを有し得る。更に、制御ユニット１５０は、実質的に任意の所定の設定に従って、第１及び／又は第２のフィラメントから放出される光の第１及び／又は第２の強度をそれぞれ制御するように構成され得る。図４〜図７は単にこれらの例を示すにすぎない。
【図１】
2021515418.tif 000003
【図２ａ】
2021515418.tif 000004
【図２ｂ】
2021515418.tif 000005
【図３ａ】
2021515418.tif 000006
【図３ｂ】
2021515418.tif 000007
【図４ａ】
2021515418.tif 000008
【図４ｂ】
2021515418.tif 000009
【図５ａ】
2021515418.tif 000010
【図５ｂ】
2021515418.tif 000011
【図６ａ】
2021515418.tif 000012
【図６ｂ】
2021515418.tif 000013
【図７ａ】
2021515418.tif 000014
【図７ｂ】
2021515418.tif 000015
【国際調査報告】
2021515418.tif 000016
2021515418.tif 000017